【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
鉛直に配置された回転軸に一端が支持され、該回転軸を中心に水平方向に回転することにより開閉する単数又は複数の扉門を備え、該扉門の開閉により水路を開閉する扉門設備の該扉門に、
前記扉門により前記水路を閉じた状態で、上流側の水を下流側に排水するポンプを設けたことを特徴とするポンプゲート。
【請求項２】
請求項１に記載のポンプゲートにおいて、
前記ポンプの正転又は逆転運転により発生する吐出水流の反動力を主動力、又は補助動力として前記扉門を開閉することを特徴とするポンプゲート。
【請求項３】
請求項１又は２に記載のポンプゲートにおいて、
前記ポンプの吐出口に下流側から上流側へ逆流しようとする水を完全に止水する止水弁を設けたことを特徴とするポンプゲート。
【請求項４】
請求項３に記載のポンプゲートにおいて、
前記止水弁による弁開度により流量及び吐出流方向を制御できる止水・流量制御弁であり、
前記止水・流量制御弁により流量制御及び前記ポンプの正転逆転による吐出水流方向を制御する制御手段を設けたことを特徴とするポンプゲート。
【請求項５】
請求項１又は２に記載のポンプゲートにおいて、
前記ポンプの回転数及び回転方向を制御するポンプ制御手段を設けたことを特徴とするポンプゲート。
【請求項６】
請求項１又は２に記載のポンプゲートにおいて、
前記ポンプは複数台であり、各ポンプは前記回転軸からそれぞれ異なる距離の位置に配置されており、
前記ポンプの運転台数を制御して前記扉門の開閉回転速度を制御するポンプ制御手段を設けたことを特徴とするポンプゲート。
【請求項７】
請求項１乃至６のいずれか１項に記載のポンプゲートにおいて、
前記扉門が全開及び全閉の状態で、該扉門の底面が当接する傾斜面を前記水路の底面に設け、
前記扉門及び該扉門に設けた前記ポンプの荷重を該扉門の底面を介して前記傾斜面で支持することを特徴とするポンプゲート。
【請求項８】
請求項１乃至７のいずれか１項に記載のポンプゲートにおいて、
前記扉門の全開時、該扉門が収納されるピットを前記水路の側部に設けたことを特徴とするポンプゲート。
【手続補正２】
【補正対象書類名】明細書
【補正対象項目名】０００８
【補正方法】変更
【補正の内容】
【０００８】
上記課題を解決するため本願発明は、鉛直に配置された回転軸に一端が支持され、該回転軸を中心に水平方向に回転することにより開閉する単数又は複数の扉門を備え、該扉門の開閉により水路を開閉する扉門設備の該扉門に、前記扉門により前記水路を閉じた状態で、上流側の水を下流側に排水するポンプを設けたことを特徴とするポンプゲートにある。
【手続補正３】
【補正対象書類名】明細書
【補正対象項目名】０００９
【補正方法】変更
【補正の内容】
【０００９】
また、本願発明は、上記ポンプゲートにおいて、前記ポンプの正転又は逆転運転により発生する吐出水流の反動力を主動力、又は補助動力として前記扉門を開閉することを特徴とする。
【手続補正４】
【補正対象書類名】明細書
【補正対象項目名】００１０
【補正方法】変更
【補正の内容】
【００１０】
また、本願発明は、上記ポンプゲートにおいて、前記ポンプをその軸心が前記扉門の回転円の接線方向に略一致するように設けると共に、前記吐出水流の反動力が該扉門を開閉する十分な回転力となるように前記回転軸から離間して設けたことを特徴とする。
【手続補正５】
【補正対象書類名】明細書
【補正対象項目名】００１１
【補正方法】変更
【補正の内容】
【００１１】
また、本願発明は、上記ポンプゲートにおいて、前記ポンプの吐出口に設けた逆流防止弁の弁体と該弁体を回動自在に支持するヒンジピンが複数に分割されており、該複数のヒンジピンが水平より所定角度傾斜されて配置されていることを特徴とする。
【手続補正６】
【補正対象書類名】明細書
【補正対象項目名】００１２
【補正方法】変更
【補正の内容】
【００１２】
また、本願発明は、上記ポンプゲートにおいて、前記ポンプを吐出口が吸込口より上方になるようにその軸心を傾斜させて設けたことを特徴とする。
【手続補正７】
【補正対象書類名】明細書
【補正対象項目名】００１３
【補正方法】変更
【補正の内容】
【００１３】
また、本願発明は、上記ポンプゲートにおいて、前記ポンプの吐出口に下流側から上流側へ逆流しようとする水を完全に止水する止水弁を設けたことを特徴とする。
【手続補正８】
【補正対象書類名】明細書
【補正対象項目名】００１４
【補正方法】変更
【補正の内容】
【００１４】
また、本願発明は、上記ポンプゲートにおいて、前記止水弁による弁開度により流量及び吐出流方向を制御できる止水・流量制御弁であり、前記止水・流量制御弁により流量制御及び前記ポンプの正転逆転による吐出水流方向制御する制御手段を設けたことを特徴とする。
【手続補正９】
【補正対象書類名】明細書
【補正対象項目名】００１５
【補正方法】変更
【補正の内容】
【００１５】
また、本願発明は、上記ポンプゲートにおいて、前記ポンプの回転数及び回転方向を制御するポンプ制御手段を設けたことを特徴とする。
【手続補正１０】
【補正対象書類名】明細書
【補正対象項目名】００１６
【補正方法】変更
【補正の内容】
【００１６】
また、本願発明は、上記ポンプゲートにおいて、前記ポンプは複数台であり、各ポンプは前記回転軸からそれぞれ異なる距離の位置に配置されており、前記ポンプの運転台数を制御して扉門の開閉回転速度を制御するポンプ制御手段を設けたことを特徴とする。
【手続補正１１】
【補正対象書類名】明細書
【補正対象項目名】００１７
【補正方法】変更
【補正の内容】
【００１７】
また、本願発明は、上記ポンプゲートにおいて、前記扉門が全開及び全閉の状態で、該扉門の底面が当接する傾斜面を前記水路の底面に設け、前記扉門及び該扉門に設けた前記ポンプの荷重を該扉門の底面を介して前記傾斜面で支持することを特徴とする。
【手続補正１２】
【補正対象書類名】明細書
【補正対象項目名】００１８
【補正方法】変更
【補正の内容】
【００１８】
また、本願発明は、上記ポンプゲートにおいて、前記扉門の全開時、該扉門が収納されるピットを前記水路の側部に設けたことを特徴とする。
【手続補正１３】
【補正対象書類名】明細書
【補正対象項目名】００１９
【補正方法】変更
【補正の内容】
【００１９】
また、本願発明は、上記ポンプゲートにおいて、前記扉門が前記ピットに収納された状態で該ピットの水路側を遮水する角落を設け、該ピット内の水を排水する排水設備を設けたことを特徴とする。
【手続補正１４】
【補正対象書類名】明細書
【補正対象項目名】００２０
【補正方法】変更
【補正の内容】
【００２０】
また、本願発明は、上記ポンプゲートにおいて、前記扉門に塵芥捕捉用のスクリーンを取付けたことを特徴とする。
【手続補正１５】
【補正対象書類名】明細書
【補正対象項目名】００２１
【補正方法】変更
【補正の内容】
【００２１】
また、本願発明は、上記ポンプゲートにおいて、前記スクリーンを該スクリーンで捕捉した塵芥を前記水路の側部に設けたピットに導く傾斜を付けて前記扉門に設けたことを特徴とする。
【手続補正１６】
【補正対象書類名】明細書
【補正対象項目名】００２２
【補正方法】変更
【補正の内容】
【００２２】
また、本願発明は、上記ポンプゲートにおいて、前記回転軸に前記扉門の回転運動を手動の操作力で行える減速機構とハンドルを設け、該ハンドル操作で前記扉門を回転するようにしたことを特徴とする。
【手続補正１７】
【補正対象書類名】明細書
【補正対象項目名】００２３
【補正方法】変更
【補正の内容】
【００２３】
また、本願発明は、上記ポンプゲートにおいて、前記扉門の前記反回転軸側に人力で該扉門を開閉させることができる長さの操作棒を固定又は着脱自在に設けたことを特徴とする。
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】変更
【補正の内容】
【００２９】
請求項３に記載の発明によれば、ポンプの吐出口に下流側から上流側へ逆流しようとする水を完全に止水する止水弁を設けたので、ポンプ内を通って下流側から上流側へ逆流しようとする水を完全に止水できる。これに対して、従来のフラップ式の逆止弁だけでは、例えば吐出口端部と弁体の間に異物が介在すると逆流を防止できないという問題があった。なお、この止水弁はフラップ式の逆止弁の上流側に設けるが、場合によってはフラップ式の逆止弁を省略してもよい。
【手続補正２２】
【補正対象書類名】明細書
【補正対象項目名】００３０
【補正方法】変更
【補正の内容】
【００３０】
請求項４に記載の発明によれば、止水・流量制御弁により流量制御及びポンプの正転逆転による吐出水流方向を制御する制御手段を設けたので、扉門の開閉回転速度を制御することができると共に、全閉及び全開時の衝撃を緩和することができる。
【手続補正２３】
【補正対象書類名】明細書
【補正対象項目名】００３１
【補正方法】変更
【補正の内容】
【００３１】
請求項５に記載の発明によれば、ポンプの回転数及び回転方向を制御するポンプ制御手段を設けたので、ポンプの吐出水流量及び吐出水流方向を制御して扉門の開閉回転速度を制御することができると共に、該扉門の全閉及び全開時の衝撃を緩和することができる。
【手続補正２４】
【補正対象書類名】明細書
【補正対象項目名】００３２
【補正方法】変更
【補正の内容】
【００３２】
請求項６に記載の発明によれば、回転軸からそれぞれ異なる距離の位置に配置されている複数台のポンプの運転台数を制御するポンプ制御手段を設けたので、扉門の開閉回転速度を制御することができると共に、該扉門の全閉及び全開時の衝撃を緩和することができる。
【手続補正２５】
【補正対象書類名】明細書
【補正対象項目名】００３３
【補正方法】変更
【補正の内容】
【００３３】
請求項７に記載の発明によれば、扉門が全開及び全閉の状態で、該扉門の底面が当接する傾斜面を水路の底面に設け、扉門及び該扉門に設けたポンプの荷重を該扉門の底面を介して傾斜面で支持するので、扉門を回転軸でのみ支持する片持ち構造に比較し、回転軸及び扉門自体の剛性を小さくできコスト低減を図ることができる。これに対し、扉門を回転軸のみで常時支持する片持ち構造では、回転軸や扉門の剛性を大きくする必要があり、その分コスト高となる。
【手続補正２６】
【補正対象書類名】明細書
【補正対象項目名】００３４
【補正方法】変更
【補正の内容】
【００３４】
請求項８に記載の発明によれば、扉門の全開時、該扉門が収納されるピットを水路の側部に設けたので、扉門全開時水路面は全面開放された状態となり、通船等の水路利用に支障とならない水路幅を確保できる。
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】